(57)【要約】【課題】ＨＤＭＩ規格に準拠した入力インタフェースを備えずに、ＨＤＭＩ機器と同等の機器制御を実現することで、ＨＤＭＩ入力インタフェースを備えた機器と同様の利便性を備える音声制御装置及び音声制御システムを提供する。【解決手段】複数の電子機器（１０〜４０）よりＨＤＭＩ規格に準拠しない非ＨＤＭＩ音声信号が入力される複数の非ＨＤＭＩ受入部（６５〜６８）と、音声映像出力装置５０よりＨＤＭＩ規格に準拠した機器制御信号を受け取る制御信号受入部６４と、複数の非ＨＤＭＩ受入部（６５〜６８）より出力された非ＨＤＭＩ音声信号を受け取る音声入力切替部７１と、音声入力切替部７１を制御する制御部６２とを備え、制御信号受入部６４は、非ＨＤＭＩ音声信号を出力している電子機器を示す第１の機器制御信号を受け取り、制御部６２は、第１の機器制御信号が示す非ＨＤＭＩ音声信号を出力するよう、音声入力切替部７１を制御する。【選択図】図１
2011182303.tif 000002
【特許請求の範囲】
【請求項１】
複数の電子機器よりＨＤＭＩ規格に準拠しない非ＨＤＭＩ音声信号が入力される複数の非ＨＤＭＩ受入部と、
音声映像出力装置よりＨＤＭＩ規格に準拠した機器制御信号を受け取る制御信号受入部と、
前記複数の非ＨＤＭＩ受入部より出力された非ＨＤＭＩ音声信号を受け取る音声入力切替部と、
前記音声入力切替部を制御する制御部とを備え、
前記制御信号受入部は、前記複数の電子機器のうちの前記非ＨＤＭＩ音声信号を出力している電子機器を示す第１の機器制御信号を受け取り、
前記制御部は、前記第１の機器制御信号が示す前記電子機器から出力された非ＨＤＭＩ音声信号を出力するよう、前記音声入力切替部を制御する
ことを特徴とする音声制御装置。
【請求項２】
前記音声制御装置は、前記音声映像出力装置にＨＤＭＩ規格に準拠した機器制御信号を出力する制御信号送出部を更に備え、
前記制御部は、前記非ＨＤＭＩ音声信号を出力するよう前記音声入力切替部を制御すると、前記制御信号送出部に前記音声映像出力装置が出力している音声信号を消音状態とするよう制御するための第２の機器制御信号を出力させる、
ことを特徴とする請求項１記載の音声制御装置。
【請求項３】
前記音声制御装置は、少なくとも映像信号と音声信号のいずれか一方を再生して出力する再生部を更に備え、
前記音声入力切替部は、前記再生部から音声信号を受け取り、
前記制御部は、
前記音声映像出力装置の電源が切断されたことを示す第３の機器制御信号を前記制御信号受入部が受け取ると、前記再生部が音声信号のみを再生しているか否かを判断し、
前記再生部が音声信号のみを再生していると判断すると、前記再生部が出力した前記音声信号を出力するよう前記音声入力切替部を制御する
ことを特徴とする請求項１または２記載の音声制御装置。
【請求項４】
ＨＤＭＩ規格に準拠しない非ＨＤＭＩ音声信号を出力する非ＨＤＭＩ音声出力部と、ＨＤＭＩ規格に準拠した機器制御信号を出力する制御信号送出部とを備える電子機器と、
前記機器制御信号を送受する制御信号送受部を備える音声映像出力装置と、
前記電子機器が出力した前記非ＨＤＭＩ音声信号が入力される非ＨＤＭＩ受入部と、前記制御信号送受部が送出した前記機器制御信号を受け取る制御信号受入部と、前記非ＨＤＭＩ受入部より出力された非ＨＤＭＩ音声信号を受け取る音声入力切替部と、前記音声入力切替部を制御する制御部とを備える音声制御装置とを備え、
前記制御信号送出部は、前記非ＨＤＭＩ音声出力部が前記非ＨＤＭＩ音声信号を出力すると、前記非ＨＤＭＩ音声信号を出力したことを示す機器制御信号を出力し、
前記制御信号送受部は、前記機器制御信号を受け取ると前記制御信号受入部に送出し、
前記制御部は、前記機器制御信号に基づいて前記音声入力切替部を制御することを特徴とする音声制御システム。
【発明の詳細な説明】
【技術分野】
【０００１】
本発明は、映画等の音声映像（ＡＶ）コンテンツを、ＨＤＭＩ（High Definition Multimedia Interface）規格及び同規格に非準拠の信号形態でそれぞれ出力するディスクプレーヤ等の電子機器を用いて再生する際、同規格に非準拠の信号形態の音声のみをこの電子機器から入力してスピーカシステム側へ出力するための音声制御装置及び音声制御システムに関する。
【背景技術】
【０００２】
従来、ＡＶコンテンツを再生する電子機器とＨＤＭＩ規格に準拠したテレビジョン受像機（ＴＶ）との間をＨＤＭＩケーブルで接続して、電子機器で再生されるＡＶコンテンツをこのＴＶで再生することは広く行われている。
【０００３】
こうした同規格に準拠した各機器の接続環境下、電子機器で再生されるＡＶコンテンツの音声映像のうちの音声をこのＴＶ内蔵のスピーカで再生せずに、同規格に非準拠の音声入力端子を備えたＡＶアンプ（音声映像増幅器）を用いて、スピーカシステム（以下「スピーカ」と記す）を用いて、より良い音質で再生したい要求がある。このためには、ＴＶ内蔵のスピーカから音声が出力しないようにこれを消音状態とすると共に、電子機器の同規格に非準拠の音声出力端子とＡＶアンプの音声入力端子との間を同規格に非準拠の信号ケーブルで新たに接続することが必要である。こうした消音のため音量ボリュウム操作や信号ケーブルを接続するための作業は、ユーザに対して利便性を欠く。
【０００４】
こうした場合の利便性を得るために、電子機器のＨＤＭＩ規格に準拠した出力インタフェースを介して接続可能な入力インタフェースを有しており、複数の電子機器のうち、選択した電子機器を用いてＡＶコンテンツを再生すると、再生されたＡＶコンテンツの音声の出力先をＴＶ内蔵のスピーカから、ＡＶアンプに接続されたスピーカへ自動的に切り替える音声制御装置が提案されている（特許文献１参照）。
【０００５】
これにより、ＡＶコンテンツを再生するときに、電子機器と音声制御装置との接続作業を行わなくても良いため、利便性を得ることができる。
【先行技術文献】
【特許文献】
【０００６】
【特許文献１】特開２００７−１２４５５２号公報
【発明の概要】
【発明が解決しようとする課題】
【０００７】
しかしながら、音声制御装置は、複数の電子機器と接続するためのＨＤＭＩ規格に準拠した入力インタフェースを複数備えていなければならないから、この結果、音声制御装置の製造コストは増加し、利便性と引き換えにユーザは金銭的な負担を強いられるという問題があった。
【０００８】
そこで、本発明は、上記した課題を解決するために創案されたものであり、ＨＤＭＩ規格に準拠した入力インタフェースを備えずに、ＨＤＭＩ機器と同等の機器制御を実現することが可能な音声制御装置及び音声制御システムを提供することを目的とする。
【課題を解決するための手段】
【０００９】
上記目的を達成するために、本発明の態様は、下記（１），（２），（３）及び（４）の構成を有する音声制御装置及び音声制御システムを提供する。
【００１０】
（１）
複数の電子機器よりＨＤＭＩ規格に準拠しない非ＨＤＭＩ音声信号が入力される複数の非ＨＤＭＩ受入部と、
音声映像出力装置よりＨＤＭＩ規格に準拠した機器制御信号を受け取る制御信号受入部と、
前記複数の非ＨＤＭＩ受入部より出力された非ＨＤＭＩ音声信号を受け取る音声入力切替部と、
前記音声入力切替部を制御する制御部とを備え、
前記制御信号受入部は、前記複数の電子機器のうちの前記非ＨＤＭＩ音声信号を出力している電子機器を示す第１の機器制御信号を受け取り、
前記制御部は、前記第１の機器制御信号が示す前記電子機器から出力された非ＨＤＭＩ音声信号を出力するよう、前記音声入力切替部を制御する
ことを特徴とする音声制御装置。
【００１１】
（２）
前記音声制御装置は、前記音声映像出力装置にＨＤＭＩ規格に準拠した機器制御信号を出力する制御信号送出部を更に備え、
前記制御部は、前記非ＨＤＭＩ音声信号を出力するよう前記音声入力切替部を制御すると、前記制御信号送出部に前記音声映像出力装置が出力している音声信号を消音状態とするよう制御するための第２の機器制御信号を出力させる、
ことを特徴とする（１）記載の音声制御装置。
【００１２】
（３）
前記音声制御装置は、少なくとも映像信号と音声信号のいずれか一方を再生して出力する再生部を更に備え、
前記音声入力切替部は、前記再生部から音声信号を受け取り、
前記制御部は、
前記音声映像出力装置の電源が切断されたことを示す第３の機器制御信号を前記制御信号受入部が受け取ると、前記再生部が音声信号のみを再生しているか否かを判断し、
前記再生部が音声信号のみを再生していると判断すると、前記再生部が出力した前記音声信号を出力するよう前記音声入力切替部を制御する
ことを特徴とする（１）または（２）記載の音声制御装置。
【００１３】
（４）
ＨＤＭＩ規格に準拠しない非ＨＤＭＩ音声信号を出力する非ＨＤＭＩ音声出力部と、ＨＤＭＩ規格に準拠した機器制御信号を出力する制御信号送出部とを備える電子機器と、
前記機器制御信号を送受する制御信号送受部を備える音声映像出力装置と、
前記電子機器が出力した前記非ＨＤＭＩ音声信号が入力される非ＨＤＭＩ受入部と、前記制御信号送受部が送出した前記機器制御信号を受け取る制御信号受入部と、前記非ＨＤＭＩ受入部より出力された非ＨＤＭＩ音声信号を受け取る音声入力切替部と、前記音声入力切替部を制御する制御部とを備える音声制御装置とを備え、
前記制御信号送出部は、前記非ＨＤＭＩ音声出力部が前記非ＨＤＭＩ音声信号を出力すると、前記非ＨＤＭＩ音声信号を出力したことを示す機器制御信号を出力し、
前記制御信号送受部は、前記機器制御信号を受け取ると前記制御信号受入部に送出し、
前記制御部は、前記機器制御信号に基づいて前記音声入力切替部を制御することを特徴とする音声制御システム。
【発明の効果】
【００１４】
本発明は、ＨＤＭＩ規格に準拠した入力インタフェースを備えずに、ＨＤＭＩ機器と同等の機器制御を実現することで、ＨＤＭＩ入力インタフェースを備えた機器と同様の利便性を備える音声制御装置及び音声制御システムを提供することができる。
【００１５】
すなわち、電子機器から出力するＡＶコンテンツの音声をＨＤＭＩ規格に準拠したテレビ受像機が内蔵するスピーカの代わりに高音質スピーカから出力するよう自動的に切り替えられる音声制御装置及び音声制御システムを提供することができる。
【００１６】
また、本発明の音声制御装置及び音声制御システムは、テレビ受像機に接続されている複数の電子機器の再生動作に連動して、テレビ受像機の消音操作等を自動的に実行することが可能である。
【図面の簡単な説明】
【００１７】
【図１】本発明の音声制御装置を備えた視聴システムのブロック図。
【図２】視聴システムを構成する各機器を示す図。
【図３】視聴システムを構成する各機器間の信号の流れを示す図。
【図４】本発明の音声制御装置に音声を入力するためのフローチャート。
【図５】音声入力切替に関するシーケンス図。
【図６】電子機器を変更するためのフローチャート。
【図７】本発明の音声制御装置の電源をオフするためのフローチャート。
【図８】本発明の音声制御装置の電源をオフするためのフローチャート。
【図９】電子機器を設定するためのフローチャート。
【図１０】ＴＶ画面に表示される設定メニュー例を示す図。
【発明を実施するための形態】
【００１８】
以下、本発明の実施の形態を、次の（１）〜（８）の順に、説明する。
【００１９】
（１）音声制御装置の構成
（２）視聴システムの構成
（３）音声切替制御方法
（４）音声切替制御方法の変形例
（５）音声制御装置の電源管理方法
（６）音声制御装置の電源管理方法の変形例
（７）電子機器登録方法
（８）その他の実施の形態
本実施の形態は、本発明の技術的思想を具体化するための装置や方法を例示するものであって、構成物品の材質、形状、構造、配置等を下記のものに特定するものでない。同一構成部分には同一の符号を付している。
【００２０】
（１）音声制御装置の構成
図１は本発明の音声制御装置を備えた視聴システムのブロック図である。
【００２１】
本発明の実施の形態に係る音声制御装置６０は、図１に示すように、第１の電子機器１０、第２の電子機器２０、第３の電子機器３０、第ｎの電子機器４０と、音声映像出力装置５０と、音声出力装置６３とに、それぞれ接続される。例えば、第１の電子機器１０、第２の電子機器２０、第３の電子機器３０、第ｎの電子機器４０は、ＡＶコンテンツを含むマルチメディアソースを再生可能な機器を指し、記録再生装置、セットトップボックス（ＳＴＢ）、ゲーム機器等である。ＳＴＢは、ケーブルテレビ放送等の放送信号を受信して、一般のＴＶで視聴可能な信号に変換する装置である。また例えば、音声映像出力装置５０はテレビ受像機（ＴＶ）、音声出力装置６３はスピーカである。音声制御装置６０は、例えば、ＨＤＭＩ規格に非準拠の１または複数の音声入力端子と同規格に準拠した１または複数のＨＤＭＩ音声出力端子とを備えたＡＶアンプである。
【００２２】
第１の電子機器１０、第２の電子機器２０、第３の電子機器３０、第ｎの電子機器４０は、それぞれ非ＨＤＭＩ音声出力部１１，２１，３１，４１と、それぞれＨＤＭＩ送出部１２，２２，３２，４２とを備えている。非ＨＤＭＩ音声出力部１１，２１，３１，４１は、光ディスクに収録されている映画等のＡＶコンテンツの音声信号をＨＤＭＩ規格に非準拠の音声信号（非ＨＤＭＩ音声信号）で出力する。この非ＨＤＭＩ音声信号は、例えば、アナログ信号、あるいは映像及び音響機器等が音声信号をデジタル伝送するための規格であるＳ／ＰＤＩＦ(Sony Philips Digital Interface)規格に準拠した信号である。本実施形態では、映像信号については特に述べないが、各電子機器１０〜４０は非ＨＤＭＩ映像信号を出力する非ＨＤＭＩ映像送出部を有していてもよい。ＨＤＭＩ送出部１２，２２，３２，４２は、ＡＶコンテンツの映像信号及び音声信号を、ＨＤＭＩ規格に準拠させたＨＤＭＩ映像信号及びＨＤＭＩ音声信号の少なくとも一方と、ＨＤＭＩ−ＣＥＣ（High Definition Multimedia Interface-Consumer Electronics Control）制御情報とを含むデジタル信号（以下「ＨＤＭＩデジタルＡＶ信号」と記す）を、ＨＤＭＩケーブルを介して出力する。
【００２３】
第１の電子機器１０、第２の電子機器２０、第３の電子機器３０、第ｎの電子機器４０のＨＤＭＩ送出部１２，２２，３２，４２からそれぞれ出力されるＨＤＭＩ−ＣＥＣ制御情報は、ＨＤＭＩケーブルを介して、音声映像出力装置５０のＨＤＭＩインタフェース部５１に供給される。また音声制御装置６０のＨＤＭＩ送出部６４から、ＨＤＭＩケーブルを介して、ＨＤＭＩインタフェース部５１に音声制御装置６０のＨＤＭＩ−ＣＥＣ制御情報が供給される。ここで、本実施形態におけるＨＤＭＩ送出部（１２、２２、３２、４２、６４）は、ＨＤＭＩ映像信号及びＨＤＭＩ音声信号を出力し、ＨＤＭＩーＣＥＣ制御情報を送受するものである。
【００２４】
音声映像出力装置５０は、ＨＤＭＩインタフェース部５１と、ＨＤＭＩインタフェース部５１から供給された音声信号を切り替える音声入力切替部５２１と、音声入力切替部５２１から供給された音声信号を増幅して出力する音声出力部５２とを備えている。音声出力部５２は例えばスピーカである。更に、ＨＤＭＩインタフェース部５１から供給された映像信号を切り替える映像入力切替部５３１と、映像入力切替部５３１から供給された映像信号を出力する映像出力部５３とを備えている。制御部５４は、ＨＤＭＩ−ＣＥＣ制御部５４１を有する。
【００２５】
ＨＤＭＩインタフェース部５１は、第１の電子機器１０、第２の電子機器２０、第３の電子機器３０、第ｎの電子機器４０のＨＤＭＩ送出部１２，２２，３２，４２からそれぞれ出力されるＨＤＭＩデジタルＡＶ信号と、音声制御装置６０のＨＤＭＩ送出部６４から出力されるＨＤＭＩデジタルＡＶ信号とが入力される。ＨＤＭＩインタフェース部５１は、第１のＨＤＭＩ受入部５５、第２のＨＤＭＩ受入部５６、第３のＨＤＭＩ受入部５７、第ｎのＨＤＭＩ受入部５８、第ｎ＋１のＨＤＭＩ受入部５９から構成される。ここで、本実施形態におけるＨＤＭＩ受入部（５５〜５９）は、ＨＤＭＩ映像信号及びＨＤＭＩ音声信号を受け取り、ＨＤＭＩーＣＥＣ制御情報を送受するものである。
【００２６】
音声制御装置６０は、第１の電子機器１０、第２の電子機器２０、第３の電子機器３０及び第ｎの電子機器４０の非ＨＤＭＩ音声出力部１１，２１，３１，４１からそれぞれ出力される音声信号が入力される非ＨＤＭＩインタフェース部６１と、非ＨＤＭＩインタフェース部６１から供給された音声信号を切り替える音声入力切替部７１と、制御部６２と、ＨＤＭＩ送出部６４と、ＡＶコンテンツを再生するための再生部６９と、記憶部７３とを備える。非ＨＤＭＩインタフェース部６１は、第１の非ＨＤＭＩ受入部６５、第２の非ＨＤＭＩ受入部６６、第３の非ＨＤＭＩ受入部６７、第ｎの非ＨＤＭＩ受入部６８から構成される。第１の非ＨＤＭＩ受入部６５〜第ｎの非ＨＤＭＩ受入部６８はそれぞれ、Ｓ／ＰＤＩＦ規格に準拠した入力端子、及びアナログ音声信号入力端子など複数の入力形式を選択できる。制御部６２は、図１に示すように、信号検出部７０及び音声切替判断部７２を備える。
【００２７】
音声制御装置６０に接続される音声出力装置６３は、音声制御装置６０から出力される音声信号を音声として出力する。
【００２８】
非ＨＤＭＩインタフェース部６１は、ＨＤＭＩ規格に非準拠の入力インタフェース（以下「非ＨＤＭＩ入力インタフェース」と記す）である。この非ＨＤＭＩインタフェース部６１は、Ｓ／ＰＤＩＦ規格に準拠したデジタル音声信号、及びアナログ音声信号等が入力される。
【００２９】
ＨＤＭＩ送出部６４は、ＨＤＭＩ規格に準拠したデジタル音声信号及びデジタル映像信号を出力するための出力インタフェース（以下「ＨＤＭＩ出力インタフェース」と記す）である。このＨＤＭＩ送出部６４は、ＨＤＭＩ規格に準拠した入力インタフェース（以下「ＨＤＭＩ入力インタフェース」と記す）であるＨＤＭＩインタフェース部５１と、ＨＤＭＩケーブル経由で相互機器制御機能を実現するための機器制御信号及び制御プロトコルであるＨＤＭＩ−ＣＥＣ制御情報を送受信する。
【００３０】
こうして、第１の電子機器１０、第２の電子機器２０、第３の電子機器３０、第ｎの電子機器４０、音声映像出力装置５０及び音声制御装置６０は、各機器間でＨＤＭＩケーブルによって接続され、各々の機器が「電源オン」、「電源オフ」、「再生」、「音量の増減」等の各種機器操作に関する制御情報をＨＤＭＩ−ＣＥＣ制御情報として送受信する。各機器の制御は、ＨＤＭＩ−ＣＥＣ制御情報に従って実行される。
【００３１】
ここで、「電源オフ」とは、主電源はオンであり待機電力が供給されている状態を指す。そのため「電源オフ」の音声映像出力装置５０は、電源オフの状態では第１の電子機器１０、第２の電子機器２０、第３の電子機器３０、第ｎの電子機器４０が出力するＨＤＭＩデジタルＡＶ信号を受信してもＨＤＭＩデジタルＡＶ信号に含まれる映像信号及び音声信号を再生することができない。しかし、音声映像出力装置５０は、ＨＤＭＩデジタルＡＶ信号に含まれるＨＤＭＩ−ＣＥＣ制御情報を受信することが可能なため、ＨＤＭＩ−ＣＥＣ制御情報に電源オンの制御命令が含まれている際には、第１の電子機器１０等によるＡＶコンテンツの再生操作と連動させて音声映像出力装置５０の電源をオンにすることができる。
【００３２】
また音声映像出力装置５０は、ＨＤＭＩ−ＣＥＣ制御情報に含まれる制御命令によって、他の電子機器の電源をオンまたはオフにすることも可能であり、第１の電子機器１０、第２の電子機器２０、第３の電子機器３０、第ｎの電子機器４０のいずれかの電子機器の動作、例えば、再生機能の実行等と連動させて他の各電子機器の電源をオンにすることも可能である。
【００３３】
第１の電子機器１０、第２の電子機器２０、第３の電子機器３０、第ｎの電子機器４０のＨＤＭＩ送出部１２，２２，３２，４２からは、ＨＤＭＩデジタルＡＶ信号が出力され、ＨＤＭＩデジタルＡＶ信号のうちＨＤＭＩ−ＣＥＣ制御情報は、音声映像出力装置５０のＨＤＭＩインタフェース部５１に供給される。更にＨＤＭＩインタフェース部５１に供給されたＨＤＭＩ−ＣＥＣ制御情報は、制御部５４のＨＤＭＩ−ＣＥＣ制御部５４１に供給され、ＨＤＭＩ−ＣＥＣ制御部５４１は受け取ったＨＤＭＩ−ＣＥＣ制御情報をＨＤＭＩインタフェース部５１に出力する。また、ＨＤＭＩ−ＣＥＣ制御部５４１は音声映像出力装置５０のＨＤＭＩ−ＣＥＣ制御情報も共に出力する。
【００３４】
ＨＤＭＩインタフェース部５１の各ＨＤＭＩ受入部５５〜５９は、受け取ったＨＤＭＩ−ＣＥＣ制御情報を接続されている各機器に供給する。このようにＨＤＭＩ−ＣＥＣ制御信号は各機器間で双方向に送受される。音声制御装置６０のＨＤＭＩ送出部６４にもＨＤＭＩインタフェース部５１の第ｎ＋１のＨＤＭＩ受入部５９からＨＤＭＩ−ＣＥＣ制御情報が供給される。
【００３５】
音声切替判断部７２は、ＨＤＭＩ送出部６４が取得したＨＤＭＩ−ＣＥＣ制御情報を基に、第１の電子機器１０〜第ｎの電子機器４０のいずれが再生動作を行ったかを検知し、「予め設定したルール」に従って、再生動作を行った電子機器が接続されているインタフェースを第１の非ＨＤＭＩ受入部６５、第２の非ＨＤＭＩ受入部６６、第３の非ＨＤＭＩ受入部６７、第ｎの非ＨＤＭＩ受入部６８の中から選択するように音声入力切替部７１を切り替える。こうして、音声切替判断部７２による切り替え制御によって音声入力切替部７１が受け取った音声信号は、音声出力装置６３へ出力される。
【００３６】
制御部６２は、音声制御装置６０から音声信号が出力されるのと共に、音声出力部５２から出力される音声を消音するよう制御する。
【００３７】
ここで、「ＨＤＭＩ−ＣＥＣ制御情報」は、「特定の電子機器」の音声出力制御情報、特定の電子機器が有するインタフェースの種別情報、及び、第１の電子機器１０、第２の電子機器２０、第３の電子機器３０、第ｎの電子機器４０の各音声出力制御命令等を含む。
【００３８】
「特定の電子機器」とは、音声出力装置６３を用いて音声出力をするために設定されている電子機器を指す。本実施形態では第１の電子機器１０、第２の電子機器２０、第３の電子機器３０、第ｎの電子機器４０が設定される。
【００３９】
つぎに、「予め設定したルール」とは、特定の電子機器からの音声信号の伝送及び任意の機能の実現の際に、音声制御装置６０の制御部６２の音声切替判断部７２に促す、音声信号の伝送規格及び伝送経路が規定されたものである。特定の電子機器からの音声信号がどの伝送規格のインタフェースで音声制御装置６０と接続されているのか、また、その特定の電子機器のＨＤＭＩ−ＣＥＣ制御上での機器ＩＤを関連付けることにより、ＨＤＭＩ−ＣＥＣからの制御信号を発した電子機器をその論理アドレスに基づいて、音声制御装置６０のどの音声信号がどの伝送規格のインタフェースに接続されている切り替えるべきかを規定したものである。
【００４０】
例えば、図１に示す第１の電子機器１０が、図３に示すように、高音質マルチチャンネル音声再生が可能なブルーレイディスクプレーヤ（ＢＤＰ）４００であるとし、非ＨＤＭＩ音声出力部１１がマルチチャンネルアナログ音声信号を出力可能なインタフェースであるとする。この場合、第１の電子機器１０から音声制御装置６０（ＡＶアンプ２００）へ出力される音声信号の伝送規格はマルチチャンネルアナログと規定される。
【００４１】
第１の電子機器１０がコンテンツの再生を開始すると、ＨＤＭＩ送出部１２から第１のＨＤＭＩ受入部５５に対してＨＤＭＩ規格に準拠したＨＤＭＩ映像信号とＨＤＭＩ音声信号と、ＨＤＭＩ−ＣＥＣ制御情報とが出力される。また、非ＨＤＭＩ音声出力部１１から第１の非ＨＤＭＩ受入部６５にマルチチャンネルアナログ音声信号が出力される。第１のＨＤＭＩ受入部５５から入力されたＨＤＭＩ−ＣＥＣ制御情報は、ＨＤＭＩ−ＣＥＣ制御部５４１に供給され、更にＨＤＭＩ−ＣＥＣ制御部５４１からＨＤＭＩインタフェース部５１を介して他の電子機器に供給される。
【００４２】
音声制御装置６０のＨＤＭＩ送出部６４は、第ｎ＋１のＨＤＭＩ受入部５９からＨＤＭＩ−ＣＥＣ制御情報を受け取り、制御部６２は第１の電子機器１０がアクティブ状態にあるという情報及び第１の電子機器１０の機器ＩＤを受け取る。制御部６２は機器ＩＤを基に、第１の非ＨＤＭＩ受入部６５に入力されている音声信号が第１の電子機器１０から出力されたものだと判断し、第１の非ＨＤＭＩ受入部６５に第１の電子機器１０の機器ＩＤを対応させたことを記憶部７３に記憶する。
【００４３】
また、その伝送経路は、第１の電子機器１０の非ＨＤＭＩ出力部１１から音声制御装置６０の第１の非ＨＤＭＩ受入部６５へ至る経路と規定される。このとき第１の非ＨＤＭＩ受入部６５は、マルチチャンネルアナログ入力が可能なインタフェースである。なお、特定の電子機器に関する情報及び予め設定されたルールに関する情報は、音声制御装置６０の記憶部７３に予め記憶されている。
【００４４】
図１に示す音声制御装置６０の制御部６２は、本装置全体の各種動作を制御する。制御部６２を構成する信号検出部７０及び音声切替判断部７２は、それぞれ専用のハードウェアで構成しても良く、オープンプラットフォーム上で動作する通常のコンピュータシステムのＣＰＵを用いて、ソフトウェアで実質的に等価な機能を有していても構わない。
【００４５】
ここで、「オープンプラットフォーム」とは、情報処理機器及び通信ネットワーク等の接続において、機器間の相互接続性、ＯＳ等のソフトウェアの再利用性、サービスの相互運用性及びユーザインタフェースの統一性等を保証するために必要な部分の設計仕様が公開されているハードウェア及びソフトウェア基盤を指す。「オープンプラットフォーム」上で稼働するシステム、すなわちオープンプラットフォームシステムが構築されると、接続された各機器間における既存の情報資源を利用することが可能となる。
【００４６】
また制御部６２は、音声制御装置６０の図示せぬ選択ボタンや音量つまみのようなユーザインタフェース部からの入力信号に基づいて、制御部６２内の図示せぬＲＯＭから音声制御装置６０を起動するためのブートプログラムを読み出して実行し、さらに記憶部７３に記憶されたオペレーティングシステムを読み出す。
【００４７】
さらに、制御部６２は、ユーザインタフェース部や、ＨＤＭＩケーブルの一部を構成しかつＨＤＭＩ−ＣＥＣ制御情報を双方向で伝送するＨＤＭＩ−ＣＥＣ信号線を用いて、各電子機器等の再生制御等を行い、ＲＯＭや記憶部７３に記憶されている制御プログラム及びデータを読み出して、図示せぬＲＡＭにロードする。また制御部６２は、このＲＡＭから読み出された制御プログラムの制御コマンドに基づいて、データの計算または加工など、後述する一連の処理を実行する。記憶部７３は、半導体メモリや磁気ディスク等であって、制御部６２で実行される制御プログラムやデータが記憶される。
【００４８】
（２）視聴システムの構成
図２は視聴システムを構成する各機器を示す図、図３は視聴システムを構成する各機器間の信号の流れを示す図である。
【００４９】
図２に示すように、音声制御装置６０を備えた視聴システムの一例は、テレビ受像機（ＴＶ）１００、ＡＶアンプ２００、スピーカシステム（スピーカ）２７０、セットトップボックス（ＳＴＢ）３００、ブルーレイディスクプレーヤ（ＢＤＰ）４００、ゲーム機器（ＧＡＭＥ）５００を備える。図１に示す音声映像出力装置５０はテレビ受像機１００、音声制御装置６０はＡＶアンプ２００、音声出力装置６３はスピーカシステム２７０、第２の電子機器２０はセットトップボックス３００、第１の電子機器１０はブルーレイディスクプレーヤ４００、及び第３の電子機器３０はゲーム機器５００にそれぞれ対応する。
【００５０】
セットトップボックス３００及びゲーム機器５００は、図２の一点鎖線で示すように、Ｓ／ＰＤＩＦケーブル３６０，５６０でそれぞれＡＶアンプ２００に接続され、Ｓ／ＰＤＩＦ接続によって音声信号をＡＶアンプ２００を通してスピーカ２７０から音声として出力する。ＡＶアンプ２００は、スピーカ２７０が接続されている。また、ブルーレイディスクプレーヤ４００は、図２の破線で示すように５．１ｃｈアナログ接続ケーブル４６０でＡＶアンプ２００に接続され、アナログ接続によってスピーカシステム２７０から音声を出力する。さらに、セットトップボックス３００、ブルーレイディスクプレーヤ４００及びゲーム機器５００は、ＨＤＭＩケーブル３５０，４５０，５５０でそれぞれテレビ受像機１００と接続され、ＨＤＭＩ規格に準拠した接続で映像及び音声を出力する。ＡＶアンプ２００はＨＤＭＩケーブル２５０でＴＶ１００と接続され、ＡＶアンプ２００、セットトップボックス３００、ブルーレイディスクプレーヤ４００及びゲーム機器５００はテレビ受像機１００とＨＤＭＩ規格に準拠した制御信号であるＨＤＭＩ−ＣＥＣ制御情報を送受信する。
【００５１】
ここで、「シンク機器」とは、ＴＶ１００等の映像及び音声の受信側の機器を指す。また、「ソース機器」とは、ＳＴＢ３００、ＢＤＰ４００、ＧＡＭＥ５００等のような映像及び音声の送信側の機器を指す。ＨＤＭＩ規格に準拠したシステムの構成要素は、ソース機器、シンク機器、ケーブル／コネクタ、リピータに分類される。ＨＤＭＩ規格では、ソース機器とシンク機器をデジタル接続する。シンク機器及びソース機器間において、ＨＤＭＩ−ＣＥＣ制御情報の送受信には、各機器にアドレスを割り当てる必要がある。ソース機器は、シンク機器から物理アドレスを取得する。シンク機器のＥＤＩＤ(Extended Display Identification Data)には、機器が使うべき物理アドレスが記述されている。ソース機器はシンク機器のＥＤＩＤを読み取り、物理アドレスを取得する。当然、ＨＤＭＩケーブルが接続されていないと、ソース機器はシンク機器のＥＤＩＤを読み取ることはできない。
【００５２】
図２及び図３に示す機器の構成では、映像はＴＶ１００で出力し、音声はＴＶ１００の内蔵スピーカよりも高音質な再生が期待できるスピーカ２７０から、ＡＶアンプ２００を介して出力することが可能である。
【００５３】
つぎに、図３において、ＢＤＰ４００は図１の第１の電子機器１０、ＳＴＢ３００は図１の第２の電子機器２０に対応する。また、ＴＶ１００は、図１の音声映像出力装置５０に対応し、ＡＶアンプ２００は図１の音声制御装置６０に対応し、そして、スピーカ２７０は、図１の音声出力装置６３に対応している。
【００５４】
図３に示すように、ＴＶ１００は、ＢＤＰ４００、ＳＴＢ３００、ＡＶアンプ２００と、ＨＤＭＩケーブル４５０，３５０，２５０を介して、それぞれ接続されている。このＨＤＭＩケーブル４５０，３５０，２５０は、ＴＭＤＳ信号線４５１，３５１，２５１と、ＨＤＭＩ−ＣＥＣ信号線４５２，３５２，２５２とを備えている。また、ＡＶアンプ２００は、ＢＤＰ４００と５．１ｃｈ信号線４６０で接続されると共に、ＳＴＢ３００とＳ／ＰＤＩＦ信号線３６０で接続されている。
【００５５】
ここで、ＢＤＰ４００でＡＶコンテンツが収録されたブルーレイディスク（ＢＤ）を再生すると、ＢＤＰ４００の映像再生部４０１及び音声再生部４０２から出力されたデジタルＡＶ信号は、ＨＤＭＩ送信回路４０４にてＨＤＭＩ規格に準拠したデジタルＡＶ信号に変換され、ＨＤＭＩケーブル４５０内のＴＭＤＳ信号線４５１を通じて、ＴＶ１００のＨＤＭＩ受信回路Ａ１０１へ伝送される。また、ＢＤＰ４００でＢＤが再生中であることを伝えるメッセージ、このメッセージに対する応答メッセージなどが、ＨＤＭＩケーブル４５０内のＨＤＭＩ−ＣＥＣ信号線４５２を通じて、ＨＤＭＩ−ＣＥＣ制御情報として、ＢＤＰ４００のＣＰＵ４０３とＴＶ１００のＣＰＵ１０４との間で送受信される。さらに、音声再生部４０２から出力されたデジタル音声信号は、Ｄ／Ａコンバータ４０５でＤ／Ａ変換され、５．１ｃｈのオーディオシステムに対応した５．１ｃｈアナログ音声信号として、５．１ｃｈ信号線４６０を通じて、ＡＶアンプ２００のアナログ入力切替回路（アナログ入力）２０５及び信号検出部２１１へ出力される。このアナログ入力切替回路２０５は入力する複数のアナログ音声信号の中から切り替えたアナログ音声信号を音声入力切替部２０８へ供給する。
【００５６】
ＳＴＢ３００はデジタル放送を受信する。映像復調部３０１及び音声復調部３０２で復調された放送信号は、ＨＤＭＩ送信回路３０４にてＨＤＭＩ規格に準拠したデジタルＡＶ信号に変換され、ＨＤＭＩケーブル３５０内のＴＭＤＳ信号線３５１を通じて、ＴＶ１００のＨＤＭＩ受信回路Ｂ１０２へ伝送される。また、ＳＴＢ３００のＣＰＵ３０３は、ＳＴＢ３００がデジタル放送を受信中であることを伝えるメッセージ、このメッセージに対する応答メッセージなどが、ＨＤＭＩケーブル３５０内のＨＤＭＩ−ＣＥＣ信号線３５２を通じて、ＨＤＭＩ−ＣＥＣ制御情報として、ＴＶ１００内のＣＰＵ１０４との間で送受信される。さらに、音声復調部３０２で復調されたデジタル音声信号は、Ｓ／ＰＤＩＦ出力回路３０５にてＳ／ＰＤＩＦ規格に準拠したデジタル音声信号に変換出力され、Ｓ／ＰＤＩＦ信号線３６０を通じて、ＡＶアンプ２００のＳ／ＰＤＩＦ受信回路Ａ２０２へ伝送される。このＳ／ＰＤＩＦ受信回路Ａ２０２で受信されたＳ／ＰＤＩＦ規格に準拠したデジタル音声信号は、音声復号回路２０４でアナログ音声信号に復号されて、音声入力切替部２０８に供給される。
【００５７】
ＡＶアンプ２００は内蔵ＤＶＤ再生部２２０を備える。内蔵ＤＶＤ再生部２２０がＡＶコンテンツが収録されたＤＶＤディスクを再生して得られた映像信号は、映像入力切替部２１０へ供給され、また、音声信号はアナログ音声信号に変換されて音声入力切替部２０８へ供給される。
【００５８】
音声入力切替部２０８にはアナログ入力切替回路２０５から、ＢＤＰ４００から５．１ｃｈ信号線４６０を通じて供給される５．１ｃｈアナログ音声信号、及び、映像／音響機器から供給されるアナログ音声信号が供給される。さらに、音声入力切替部２０８には、ＳＴＢ３００からＳ／ＰＤＩＦ信号線３６０を通じてＳ／ＰＤＩＦ受信回路Ａ２０２に入力され、音声復号回路２０４でデジタル音声信号から復号されたアナログ音声信号と、映像／音響機器からＳ／ＰＤＩＦ受信回路Ｂ２０３に供給されたＳ／ＰＤＩＦ規格に準拠したデジタル音声信号が音声復号回路２０４で復号されたアナログ音声信号とが供給される。
【００５９】
音声入力切替部２０８は、制御部２０６から供給される切替制御信号により、これら複数のアナログ音声信号及びデジタル音声信号から１のアナログ音声信号及びデジタル音声信号を切替選択して、ＨＤＭＩ送信回路２０１あるいは音声回路／増幅器２０９へ出力する。音声入力切替部２０８から出力されるアナログ音声信号は、ＨＤＭＩ送信回路２０１に供給され、ここでＨＤＭＩ規格に準拠したデジタル音声信号に変換され、ＡＶアンプ２００のＨＤＭＩ出力端子から、ＨＤＭＩケーブル２５０内のＴＭＤＳ信号線２５１を通じて、ＴＶ１００のＨＤＭＩ受信回路Ｃ１０３へ伝送される。ＨＤＭＩ受信回路Ｃ１０３はＨＤＭＩ規格の伝送信号を受信し、ベースバンドデジタル音声信号に復号して音声回路１０６に供給する。音声回路１０６は、ベースバンドデジタル音声信号をＤ／Ａ復号してアナログ音声信号とし、増幅したアナログ音声信号をＴＶ内蔵スピーカ１０７へと出力する。
【００６０】
一方、音声入力切替部２０８から出力されるアナログ音声信号は、音声回路／増幅器２０９に供給され、増幅された後、スピーカシステム２７０から出力される。この音声入力切替部２０８は、前述した図１に示す音声入力切替部７１に対応している。
【００６１】
ＡＶアンプ２００の制御部２０６は、内蔵ＤＶＤ再生部２２０がＤＶＤディスクを再生中であることを伝えるメッセージ、このメッセージに対する応答メッセージなどをＨＤＭＩケーブル２５０内のＨＤＭＩ−ＣＥＣ信号線２５２を通じて、ＨＤＭＩ−ＣＥＣ制御情報として、ＴＶ１００内の制御部１０４に対して伝送する。制御部１０４は、ＨＤＭＩ−ＣＥＣ信号線２５２を通じて、ＳＴＢ３００及びＢＤＰ４００の動作状態等の情報をＡＶアンプ２００へ伝送する。
【００６２】
これにより、ＡＶアンプ２００は、ＢＤＰ４００、ＳＴＢ３００と直接、ＨＤＭＩケーブルを用いて接続されていないのにもかかわらず、ＨＤＭＩケーブル３５０，４５０でＴＶ１００にＨＤＭＩ接続されたＢＤＰ４００、ＳＴＢ３００の各動作状態を、ＴＶ１００に接続されたＨＤＭＩ−ＣＥＣ信号線２５２を通じて検知することができる。
【００６３】
さて、ＴＶ１００のＨＤＭＩ受信回路Ａ１０１〜Ｃ１０３に入力されたデジタルＡＶ信号のうちから択一されたデジタル映像信号は、映像回路１０５で信号処理された後、表示部１０８に表示される。また、択一されたデジタル映像信号に対応するデジタル音声信号は、音声回路１０６で信号処理された後、ＴＶ内蔵スピーカ１０７から出力される。
【００６４】
ＨＤＭＩ受信回路Ａ１０１、ＨＤＭＩ受信回路Ｂ１０２及びＨＤＭＩ受信回路Ｃ１０３はそれぞれ、図１に示す第１のＨＤＭＩ受入部５５、第２のＨＤＭＩ受入部５６及び第３のＨＤＭＩ受入部５７に相当する。また、Ｓ／ＰＤＩＦ受信回路Ａ２０２は図１に示す第２の非ＨＤＭＩ受入部６６に相当し、同様に端子４６１は第１の非ＨＤＭＩ受入部６５、Ｓ／ＰＤＩＦ出力回路３０５は非ＨＤＭＩ出力部２１、端子４０６は非ＨＤＭＩ出力部１１に相当する。
【００６５】
図２においてＴＶ１００は、ＢＤＰ４００、ＳＴＢ３００及びＧＡＭＥ５００である各電子機器の再生開始状態を検知して、ＨＤＭＩ−ＣＥＣ制御情報によりＨＤＭＩケーブルで通信されている信号は、新たに再生を開始した電子機器（アクティブな状態の電子機器）とＴＶ１００との通信に自動で切り替わる。また、ＡＶアンプ２００は、ＨＤＭＩ接続ではないＢＤＰ４００、ＳＴＢ３００及びＧＡＭＥ５００等である電子機器の再生開始状態を、ＴＶ１００からＨＤＭＩケーブル２５０を経由してＨＤＭＩ−ＣＥＣ制御情報として取得し、再生を開始した電子機器からの非ＨＤＭＩ音声入力に自動的に切り替えて出力する。以下の説明において、再生を実行している電子機器を、「アクティブな状態の電子機器」という。
【００６６】
（３）音声切替制御方法
図４は本発明の音声制御装置６０の制御部６２の動作を示すフローチャートである。
【００６７】
音声制御装置６０が、音声信号の入力に伴い音声映像出力装置５０の音声出力を消音状態に切り替える処理について、図４と共に図１を参照しながら順に説明する。
【００６８】
以下の説明においては本実施形態の視聴システムは、図１に示す第１の電子機器１０をＢＤＰ１０、及び第２の電子機器２０をＳＴＢ２０とし、２つの電子機器を備える構成とする。第１の電子機器１０の非ＨＤＭＩ出力部１１はアナログ出力部１１であり、第２の電子機器２０の非ＨＤＭＩ出力部２１は、Ｓ／ＰＤＩＦ出力部２１である。これに伴い、音声制御装置６０が備える非ＨＤＭＩ入力インタフェースは、ＢＤＰ１０が備えるマルチチャンネルアナログ出力部１１からの音声信号を受信可能とするため、第１の非ＨＤＭＩ受入部６５をマルチチャンネルアナログ入力部６５とし、ＳＴＢ２０が備えるＳ／ＰＤＩＦ出力部２１からの音声信号を受信するために、第２の非ＨＤＭＩ受入部６６をＳ／ＰＤＩＦ入力部６６とする。
【００６９】
ここで一実施例として、ＢＤＰ１０がＢＤの再生を開始した場合の音声制御装置６０の制御部６２の動作を説明する。制御部６２は音声制御装置６０の電源が入っていない待機状態の場合にも動作しており、ＨＤＭＩ送出部６４からの制御情報の受信の有無を判断している。
【００７０】
まず、ユーザ操作によりＢＤＰ１０の電源がオンとなり、続いてＢＤの再生が開始されると、ＨＤＭＩ送出部１２からＨＤＭＩケーブルを介して音声映像出力装置５０の第１のＨＤＭＩ受入部５５にＨＤＭＩ映像信号、ＨＤＭＩ音声信号、ＨＤＭＩ−ＣＥＣ制御情報（以下、制御情報ＨＣとする。）が入力される。制御情報ＨＣは、アクティブな状態の電子機器の論理アドレス情報を含む。ここでは制御情報ＨＣは、ＢＤＰ１０の論理アドレス情報を含む。音声映像出力装置５０のＨＤＭＩ−ＣＥＣ制御部５４１は第１のＨＤＭＩ受入部５５から制御情報ＨＣを受け取り、受け取った制御情報ＨＣをＨＤＭＩインタフェース部５１に供給する。ＨＤＭＩインタフェース部５１に含まれる各ＨＤＭＩ受入部５５〜５９は、各々が接続されている電子機器に制御情報ＨＣを送信する。
【００７１】
制御部６２は、ステップＳ１０１で制御情報ＨＣの受信の有無を判断している。上述したようにＢＤＰ１０の電源がオンとなりＢＤの再生が開始されると、音声制御装置６０のＨＤＭＩ送出部６４に第ｎ＋１のＨＤＭＩ受入部５９から送信された制御情報ＨＣが供給される。ＨＤＭＩ送出部６４は制御情報ＨＣを受け取り、制御部６２に供給する。制御部６２は制御情報ＨＣを受信したと判断すると、ステップＳ１０２に進む。制御部６２はステップＳ１０２で、音声制御装置６０の電源が入っているか否かを判断する。電源が入っている場合は、ステップＳ１０４に進む。電源が入っていない場合は、ステップＳ１０３に進み、電源をオンにする。
【００７２】
次にステップＳ１０４で制御部６２は、制御情報ＨＣに基づいて音声入力切替部７１を制御する。具体的には、制御部６２は、アクティブな状態にある電子機器の論理アドレスと対応付けられている非ＨＤＭＩ受入部の情報を記憶部７３から読み出し、対応する非ＨＤＭＩ受入部からの出力に切り替えるよう、音声入力切替部７１を制御する。ここでは制御情報ＨＣはＢＤＰ１０がアクティブな状態であることを示すため、制御部６２はＢＤＰ１０の論理アドレスと対応付けられている第１の非ＨＤＭＩ受入部６５からの音声信号を出力するよう、音声入力切替部７１を制御する。
【００７３】
続いてステップＳ１０５に進み制御部６２は、音声映像出力装置５０の制御部５４に、ＨＤＭＩ送出部６４及び第ｎ＋１のＨＤＭＩ受入部５９を介して、音声映像出力装置５０の音声出力を消音状態とするよう指示する制御情報ＨＣを供給する。制御部５４は、制御情報ＨＣを受け取ると音声入力切替部５２１を消音状態とするよう制御する。
【００７４】
次に、本発明の実施の形態に係る視聴システムにおいて、音声入力の制御処理を実行する方法について、図３及び図５を用いて説明する。図５は音声入力切替に関するシーケンス図である。
【００７５】
まず、図５に示すように、ステップＳ１１においてユーザがＢＤＰ４００の電源を入れて、コンテンツの再生を開始させる。ＢＤＰ４００が電源オン及び再生開始を示す制御信号を順に受け取ると、ステップＳ１２においてＢＤＰ４００の動作電源がオンになり、再生が開始される再生状態となる。ステップＳ１３においてＢＤＰ４００の制御部４０３はＴＶ１００の制御部１０４に対して、図３に示すＨＤＭＩ−ＣＥＣ信号線４５２を介して、＜Ｉｍａｇｅ  Ｖｉｅｗ  Ｏｎ＞メッセージを送信する。
【００７６】
次に、ステップＳ１４においてＢＤＰ４００の制御部４０３は、直接又は他の電子機器経由でＨＤＭＩ−ＣＥＣ信号線が接続されている全ての電子機器、すなわちＴＶ１００、ＳＴＢ３００及びＡＶアンプ２００に対して、＜Ａｃｔｉｖｅ  Ｓｏｕｒｃｅ＞メッセージをグローバルに送信する。すなわち、ＢＤＰ４００の制御部４０３は、ＨＤＭＩ−ＣＥＣ信号線４５２を介してＴＶ１００の制御部１０４へＨＤＭＩ−ＣＥＣ制御情報を送信し、ＴＶ１００の制御部１０４はＨＤＭＩ−ＣＥＣ信号線３５２を介してＢＤＰ４００から供給されたＨＤＭＩ−ＣＥＣ制御情報をＳＴＢ３００の制御部３０３へ送信する。また、ＢＤＰ４００の制御部４０３は、ＨＤＭＩ−ＣＥＣ信号線４５２を介しＴＶ１００の制御部１０４へＨＤＭＩ−ＣＥＣ制御情報を送信し、ＴＶ１００のＣＰＵ１０４はＨＤＭＩ−ＣＥＣ信号線２５２を介して、ＢＤＰ４００から供給されたＨＤＭＩ−ＣＥＣ制御情報をＡＶアンプ２００の制御部２０６へ送信する。
【００７７】
ステップＳ１５において、ＴＶ１００の制御部１０４は、上記＜Ｉｍａｇｅ  Ｖｉｅｗ  Ｏｎ＞メッセージを受信することで、映像を表示させる状態となり、また、上記＜Ａｃｔｉｖｅ  Ｓｏｕｒｃｅ＞メッセージを受信することで、ＢＤＰ４００の映像信号の出力を自動的にＨＤＭＩ受信回路Ａ１０１で受信し、ＢＤＰ４００からの映像信号をＴＶ画面１０８に表示させる。
【００７８】
また、ＡＶアンプ２００の制御部２０６は、上記＜Ａｃｔｉｖｅ  Ｓｏｕｒｃｅ＞メッセージを受信することで、ステップＳ１６において、予め設定したＢＤＰ４００に対応した音声信号の入力インタフェースであるアナログ入力切換回路２０５の出力に切り替える。５．１ｃｈアナログ接続ケーブル４６０から受信したマルチチャンネルアナログ音声信号を音声回路／増幅器２０９が増幅し、スピーカシステム２７０に出力する。更に、ＡＶアンプ２００の制御部２０６はステップＳ１７において、ＴＶ１００の制御部１０４に対し、＜Ｓｅｔ  Ｓｙｓｔｅｍ  Ａｕｄｉｏ  Ｍｏｄｅ＞メッセージを送信する。ＴＶ１００の制御部１０４は、ステップＳ１８において、上記＜Ｓｅｔ  Ｓｙｓｔｅｍ  Ａｕｄｉｏ  Ｍｏｄｅ＞メッセージを受信すると、内蔵スピーカ１０７による音声の出力を消音するよう音声回路１０６を制御する。
【００７９】
また、ＳＴＢ３００がユーザの操作による電源オン及び再生を示すＨＤＭＩ−ＣＥＣ制御信号を順に受け取った場合も、上述したＢＤＰ４００の視聴時と同様のステップＳ２１〜ステップＳ２８のシーケンスを辿る。ＳＴＢ３００の制御部３０３が行うステップＳ２２〜ステップＳ２５はステップＳ１２〜ステップＳ１５と同様のステップであり、ステップＳ２５においてＴＶ１００の制御部１０４はＳＴＢ３００の受信映像を自動で表示する。ＡＶアンプ２００の制御部２０６が行うステップＳ２６及びステップＳ２７は、ステップＳ１６及びステップＳ１７と同様のステップであり、ＡＶアンプ２００の制御部２０６はＳＴＢ３００による音声信号の入力に対応したＳ／ＰＤＩＦ受信回路Ａ２０２の出力に切り替えると共に、ＴＶ１００の音声出力を消音状態とさせる。
【００８０】
また、ユーザによりステップＳ３１においてＴＶ１００の電源がオフとされると、ＴＶ１００の制御部１０４はステップＳ３２においてＨＤＭＩ接続している全ての電子機器、すなわち図３に示すＳＴＢ３００、ＢＤＰ４００、ＡＶアンプ２００に対して、ＨＤＭＩ−ＣＥＣ信号線３５２，４５２，２５２をそれぞれ介し、＜Ｓｔａｎｄｂｙ＞メッセージをグローバルに送信し、ステップＳ３３において自機の動作電源をオフとする。ＳＴＢ３００の制御部３０３は上記＜Ｓｔａｎｄｂｙ＞メッセージを受信することで、ステップＳ３４においてＳＴＢ３００の制御部３０３は自己の動作電源をオフにする。同様に、ＢＤＰ４００の制御部４０３は上記＜Ｓｔａｎｄｂｙ＞メッセージを受信することで、ステップＳ３５においてＢＤＰ４００の制御部４０３は自己の動作電源をオフにする。更に同様に、ＡＶアンプ２００の制御部２０６は上記＜Ｓｔａｎｄｂｙ＞メッセージを受信することで、ステップＳ３６においてＡＶアンプ２００の動作電源をオフにする。
【００８１】
以上説明したように、本発明の実施の形態に係る音声制御装置６０によれば、ＨＤＭＩ規格の入力インタフェースを有せず、複数のＳ／ＰＤＩＦ及びアナログ等のＨＤＭＩ非対応の入力インタフェースを有し、ＨＤＭＩ規格の出力インタフェースを有する音声制御装置６０は、例えばＴＶである音声映像出力装置５０のＨＤＭＩ規格の入力インタフェースに接続しているＨＤＭＩ−ＣＥＣ信号線を通して、音声映像出力装置５０にＨＤＭＩ接続されている他の複数の電子機器１０，２０，３０，４０の動作状態をＨＤＭＩ−ＣＥＣ制御情報として取得及び利用することが可能である。そのため、音声映像出力装置５０にＨＤＭＩ接続されている複数の電子機器１０，２０，３０，４０の再生動作及び機器操作等により発生するＨＤＭＩ−ＣＥＣ制御情報を音声制御装置６０は受け、予め設定したルールに基づき各電子機器のＨＤＭＩ規格に非対応のインタフェースの種別に応じた入力インタフェースを適用させ、再生開始した電子機器の音声を正しく再生することが可能である。
【００８２】
また、音声制御装置６０が音声信号を受信し、再生し、この音声制御装置６０に接続された音声出力装置６３が音声を出力する際は、音声制御装置６０は自動的に音声映像出力装置５０が備える音声出力部５２からの音声出力を消音させることができる。そのため、音声制御装置６０及び音声映像出力装置５０が同時に同一の音声を再生する不都合を回避することが可能である。
【００８３】
音声制御装置６０は、音声映像出力装置５０経由でＨＤＭＩ−ＣＥＣ制御情報を取得することで、高コストのＨＤＭＩ規格対応の入力インタフェースを備えることなく、音声信号のみ自動的に音声信号の転送規格に準拠した入力インタフェースを使用して入力し、音声制御装置６０が接続する、例えば、高精度スピーカである音声出力装置６３から高音質な音声を出力することが可能である。これにより、ユーザに金銭的な負担を強いることなく、音声の高音質出力のための利便性を著しく向上させることができる。
【００８４】
（４）音声切替制御方法の変形例
アクティブな状態の電子機器が変更された場合の音声制御方法について、図１、図２及び図６を用いて説明する。図６はアクティブな状態の電子機器が変更された際の制御部６２の動作を説明するためのフローチャートである。ここではアクティブな状態の電子機器の変更として、図２に示すＢＤＰ１０の再生中に、ユーザがＳＴＢ２０の再生を実行する場合を説明する。
【００８５】
まず、図１に示す第１の電子機器（ＢＤＰ）１０が再生を実行しているアクティブな状態である時に、ユーザの指示に基づいて第２の電子機器（ＳＴＢ）２０は再生を開始する。これにより、第１の電子機器１０に代わって、第２の電子機器２０がアクティブな状態となる。
【００８６】
ＳＴＢ２０の再生を開始すると、ＨＤＭＩ送出部２２からＨＤＭＩケーブルを介して音声映像出力装置５０の第２のＨＤＭＩ受入部５６にＨＤＭＩ映像信号、ＨＤＭＩ音声信号、ＨＤＭＩ−ＣＥＣ制御情報（以下、制御情報ＨＣとする。）が入力される。制御情報ＨＣは図５に示す＜Ａｃｔｉｖｅ  Ｓｏｕｒｃｅ＞メッセージであり、ここではＳＴＢ２０の論理アドレス情報を含む。音声映像出力装置５０の制御部５４は第２のＨＤＭＩ受入部５６から制御情報ＨＣを受け取り、受け取った制御情報ＨＣをＨＤＭＩインタフェース部５１に供給する。ＨＤＭＩインタフェース部５１に含まれる各ＨＤＭＩ受入部５５〜５９は、各々が接続されている電子機器１０〜４０、及び音声制御装置６０に制御情報ＨＣを送信する。
【００８７】
制御部６２は、ステップＳ５０１で制御情報ＨＣの受信の有無を判断している。上述したようにＳＴＢ２０の再生が開始されると、音声制御装置６０のＨＤＭＩ送出部６４は、第ｎ＋１のＨＤＭＩ受入部５９から送信された制御情報ＨＣを受け取り、制御部６２に供給する。制御部６２はステップＳ５０１で制御情報ＨＣを受信したと判断すると、ステップＳ５０２に進む。制御部６２はステップＳ５０２で、制御情報ＨＣに基づいてアクティブ状態の電子機器が変更されたか否かを判断する。変更された場合はステップＳ５０３に進む。変更されていない場合は、ステップＳ５０１に戻る。
【００８８】
以降のステップＳ５０３及びステップＳ５０４は、図４で説明したステップＳ１０４及びステップＳ１０５と同様のステップである。ステップＳ５０３で制御部６２は、制御情報ＨＣに基づいて音声入力切替部７１を制御する。ここでは制御情報ＨＣはＳＴＢ２０がアクティブな状態であることを示すため、制御部６２はＳＴＢ２０の論理アドレスと対応付けられている第２の非ＨＤＭＩ受入部６６からの音声信号を出力するよう、音声入力切替部７１を制御する。
【００８９】
続いてステップＳ５０４に進み制御部６２は、音声映像出力装置５０の制御部５４に、ＨＤＭＩ送出部６４及び第ｎ＋１のＨＤＭＩ受入部５９を介して、音声映像出力装置５０の音声出力を消音状態とするよう指示する制御情報ＨＣを供給する。
【００９０】
このように、音声制御装置６０は、アクティブな状態の電子機器の変更時において、自動的に新たなアクティブな状態にある電子機器の出力インタフェースの種別を検出して、その入力インタフェースを切り替えて、音声信号を受信することが可能である。
【００９１】
（５）従来の音声制御装置の電源管理方法
従来の音声制御装置が、シンク機器である音声映像出力装置の電源状態に伴い、自己の動作電源のスイッチ処理を実行する方法について、図７を用いて説明する。図７は従来の音声制御装置の制御部が電源をオフにすることを判断する動作を説明するフローチャートである。
【００９２】
ユーザによって音声映像出力装置の電源が切られると、音声映像出力装置の制御部は、自身（音声映像出力装置）の電源がオフとなったことを示すスタンバイ情報をＨＤＭＩケーブルを介して接続されている各電子機器及び音声制御装置に送信する。
【００９３】
図７に示すステップＳ２０１において、音声制御装置の制御部は、スタンバイ情報の受信の有無を判断している。音声映像出力装置が出力したスタンバイ情報が、音声制御装置のＨＤＭＩ送出部を経て制御部に供給されると、制御部はステップＳ２０１にてスタンバイ情報を取得したと判断する。
【００９４】
音声制御装置の制御部はスタンバイ情報を取得するとステップＳ２０２に進み、音声映像出力装置の電源オフに連動して自己の動作電源を自動的にオフにする。
【００９５】
このように、従来の音声制御装置は、接続されている音声映像出力装置の動作電源がオフとなったことに伴って、自動的に自己の動作電源もオフにすることができる。そのため、音声制御装置は、使用しない間の動作時間短縮による節電及び機器の劣化を防止することが可能であった。
【００９６】
（６）本発明の音声制御装置６０の電源管理方法
本発明の音声制御装置６０が、シンク機器である音声映像出力装置５０の電源状態に伴い、自己の動作電源のスイッチ処理を実行する方法の一実施形態について、図１及び図８を用いて説明する。図８は本発明の音声制御装置６０の制御部６２が電源をオフにすることを判断する動作の一実施形態を説明するフローチャートである。
【００９７】
図７に示した例と同様に、ユーザによって音声映像出力装置５０の電源が切断されると、音声映像出力装置５０の制御部５４は音声映像出力装置５０の電源が切断（オフ）されたことを示すＨＤＭＩ−ＣＥＣ制御信号（スタンバイ情報）を各電子機器１０〜４０及び音声制御装置６０に送信する。音声制御装置６０の制御部６２は、図８に示すステップＳ３０１においてスタンバイ情報の受信の有無を判断しており、スタンバイ情報を受け取ったと判断すると、ステップＳ３０２に進む。ステップＳ３０２において、制御部６２の信号検出部７０は再生部６９から供給される再生信号に基づいて再生部６９が再生中のコンテンツが映像信号を含むか否かを判断する。ステップＳ３０２において、再生部６９が映像信号を含むコンテンツを再生している場合には、制御部６２はステップＳ３０３に進み、音声映像出力装置５０の電源オフに関する信号に連動して、自己の動作電源を自動的にオフにする。
【００９８】
ステップＳ３０２において、再生部６９が映像信号を含まないコンテンツ、すなわち音声信号のみのコンテンツを再生していると判断した場合には、制御部６２は自己の動作電源をオンの状態で維持し、再生部６９から出力されている音声信号を音声出力装置６３に出力する。
【００９９】
このように、本発明の音声制御装置６０の電源管理方法によれば音声制御装置６０は、再生部６９が映像信号を含むコンテンツを再生している場合には、音声映像出力装置５０の動作電源のオフと同時に、動作電源を自動でオフにするため、ユーザが音声映像出力装置５０の電源状態の変化に合わせて音声制御装置６０の電源をオフにする手間を省くことができて便利である。また音声制御装置６０において、音声信号のみが存在するコンテンツを再生している場合には音声映像出力装置５０の動作電源がオフされても、音声制御装置６０は継続して動作電源がオンの状態を維持するため、音声を継続して聴くことができる。
【０１００】
前述した「（５）従来の音声制御装置の電源管理方法」では、音声映像出力装置が動作電源をオフにした際にグローバル発信するスタンバイ情報（図５のステップＳ３２＜Ｓｔａｎｄｂｙ＞）のＨＤＭＩ−ＣＥＣ制御メッセージを音声制御装置が受信し、音声制御装置の制御部は音声映像出力装置の電源の状態に連動して、自動的に自己の動作電源をオフにする。この場合、音声制御装置の制御部は再生部でコンテンツを再生しているかいないかに関わらず、自己の電源をオフとする。
【０１０１】
しかし（６）で説明した本発明における音声制御装置の一実施形態であれば、音声映像出力装置５０での視聴とは別に音声制御装置６０が、例えばコンパクトディスク等、音声信号のみのコンテンツを再生出力している場合に制御部６２は音声制御装置６０の電源を切らないよう制御でき、よりユーザにとって好ましい。すなわち本発明における音声制御装置の電源管理方法は、音声制御装置６０が音声信号のみのコンテンツを再生している場合には、音声映像出力装置５０の動作電源が切断されることにより供給されるスタンバイ情報を制御部６２が受信しても、その影響を受けることなくコンテンツの再生が継続できる。
【０１０２】
（７）電子機器登録方法
音声制御装置６０が、第１の電子機器１０、第２の電子機器２０、第３の電子機器３０、第ｎの電子機器４０のそれぞれ出力するＨＤＭＩに準拠しない信号の種別を判断し、設定する方法について、図１及び図３のシステム構成図、図９及び図１０を用いて説明する。図９は、電子機器が出力する信号種別を設定するためのフローチャートである。
【０１０３】
ここで、音声制御装置６０が電子機器を登録する際の初期状態は以下の通りである。図１に示す電子機器１０，２０，３０，４０及び音声映像出力装置５０，音声制御装置６０が正しく接続され、全ての電子機器１０〜４０の動作電源はオフ（待機電源はオン）である。音声映像出力装置５０の図示しない表示部に図１０（ａ）に示す初期設定の設定画面が表示されている状態で、ユーザは第ｎの電子機器４０を音声制御装置６０に登録するため、第ｎの電子機器４０の動作電源をオンとする。動作電源がオンとなった第ｎの電子機器４０はメディアディスクを再生して映像及び音声の出力が可能な状態であり、また第ｎの電子機器４０はアンテナ等より受信した放送の出力が可能な状態である。ユーザはまた、図１０（ａ）に示す設定画面の通り、登録しようとする電子機器４０において、コンテンツを再生する。第ｎの電子機器４０は、ユーザ操作に基づいて映像信号、音声信号、制御情報ＨＣを出力する。
【０１０４】
図９に示すステップＳ４０１において、図１に示す音声制御装置６０の制御部６２は、アクティブな状態となった電子機器から出力された制御情報ＨＣの受信の有無を判断する。ここではユーザが第ｎの電子機器４０の電源をオンとしたことで、制御部６２はステップＳ４０１にて第ｎの電子機器４０がアクティブな状態にあることを示す信号（制御情報ＨＣ）を受信し、ステップＳ４０２に進む。先述したように音声制御装置６０の制御部６２は、音声映像出力装置５０を介しＨＤＭＩ−ＣＥＣ信号線２５２を通して、第ｎの電子機器４０から制御情報ＨＣを受信する。
【０１０５】
ステップＳ４０２において、制御部６２は、第１の非ＨＤＭＩ受入部６５〜第ｎの非ＨＤＭＩ受入部６８に入力された非ＨＤＭＩ音声信号を検出し、どの形式のインタフェースで接続されているかを判断する。この時、図１０（ｂ）に示す画像が表示部に表示される。制御部６２は非ＨＤＭＩ音声信号が入力されたインタフェースの形式を検出すると、ステップＳ４０３にて音声信号が入力された非ＨＤＭＩ受入部の入力インタフェースとアクティブな状態の電子機器のＩＤとを対応付けて、記憶部７３に記憶させる。最後に制御部６２はステップＳ４０４において、記憶部７３に記憶させた内容を図１０（ｃ）に示す画像として表示部に所定の時間（例えば５秒間）表示させ、または音声で発信して、ユーザに登録状況を示す。
【０１０６】
ここでは制御部６２は、第ｎの電子機器４０から出力された非ＨＤＭＩ音声信号が第ｎの非ＨＤＭＩ受入部６８に入力されたことを検出し（ステップＳ４０２）、ＨＤＭＩ送出部６４から受け取った第ｎの電子機器４０の機器ＩＤと第ｎの非ＨＤＭＩ受入部６８とを対応付けて、記憶部７３に記憶させる。
【０１０７】
図１０（ａ）〜（ｃ）に示すように、音声制御装置６０の初期設定におけるガイドあるいはウィザードが音声映像出力装置５０の図示しない表示部に順に表示される。図１０（ａ）に示すように、音声制御装置６０は設定の方法が示された画像を表示部に表示する。ユーザは図１０（ａ）に示された画像を見ながら、適当な操作を音声制御装置６０に対して行う。音声制御装置６０の制御部６２は、電子機器がアクティブな状態となると自動で電子機器と非ＨＤＭＩ受入部との対応付けを実行する。
【０１０８】
図１０（ｂ）に示すように、図９のステップＳ４０２の処理が完了するまでの経過状態は、現在の処理状況を示す画像が例えばポップアップウィンドウとして表示部に表示される。処理の完了後、図１０（ｂ）に示すポップアップウィンドウが自動的に表示されなくなることで、ユーザはポップアップウィンドウが表示されている状態において処理が進行中であることがわかる。
【０１０９】
図１０（ｃ）に示すように、図９に示すステップＳ４０６における電子機器の検出及び電子機器と音声入力インタフェースの種別との対応付け等の登録結果を示す画像は、例えばポップアップウィンドウとして表示部に表示される。ポップアップウィンドウの表示時間は、本発明の実施の形態に係る視聴システムを活用するユーザが認識するのに十分な時間、例えば５秒間とすることができる。もちろん表示時間は可変である。
【０１１０】
以上説明したように、音声制御装置６０は、音声映像出力装置５０を経由してＨＤＭＩ−ＣＥＣ制御情報を利用することで、各電子機器１０，２０，３０，４０と各電子機器１０，２０，３０，４０が備える非ＨＤＭＩ出力部１１，２１，３１，４１の種別とを、自動的に対応付けることが可能である。
【０１１１】
（８）その他の実施の形態
上記のように、本発明の音声制御装置を実施の形態によって記載したが、この開示の一部をなす論述及び図面は本発明を限定するものであると理解すべきではない。この開示から当業者には様々な代替実施の形態、実施例及び運用技術が明らかとなろう。本発明はここでは記載していない様々な実施の形態等を含むことは勿論である。したがって、本発明の技術的範囲は上記の説明から妥当な特許請求の範囲に係る発明特定事項によってのみ定められるものである。
【符号の説明】
【０１１２】
１０…第１の電子機器（ＢＤＰ）
２０…第２の電子機器（ＳＴＢ）
３０…第３の電子機器（ゲーム機器）
４０…第ｎの電子機器
１１、２１、３１、４１…非ＨＤＭＩ出力部
１２、２２、３２、４２…ＨＤＭＩ出力部
５０…音声映像出力装置（再生装置）
５２、５３…音声出力部（内蔵スピーカ）
５５…第１のＨＤＭＩ入力部
５６…第２のＨＤＭＩ入力部
５７…第３のＨＤＭＩ入力部
５８…第ｎのＨＤＭＩ入力部
６０…音声制御装置
６２…制御部
６３…音声出力装置
６４…ＨＤＭＩ出力部
６５…第１の非ＨＤＭＩ入力部
６６…第２の非ＨＤＭＩ入力部
６７…第３の非ＨＤＭＩ入力部
６８…第ｎの非ＨＤＭＩ入力部
７１…音声入力切替部
７２…音声切替判断部
７３…記憶部
２０８…音声入力切替部
２１０…映像入力切替部
【図１】
2011182303.tif 000003
【図２】
2011182303.tif 000004
【図３】
2011182303.tif 000005
【図４】
2011182303.tif 000006
【図５】
2011182303.tif 000007
【図６】
2011182303.tif 000008
【図７】
2011182303.tif 000009
【図８】
2011182303.tif 000010
【図９】
2011182303.tif 000011
【図１０】
2011182303.tif 000012